(57)【要約】【課題】  電子識別情報を記憶する記憶部と送受信アンテナとを備えたチップを、遊技球の球飛びや電子識別情報に悪影響を及ぼすことのない形態で、かつ、埋め込み位置も確認しにくい形態に、埋め込んだ遊技盤を提供する。【解決手段】  電子識別情報を記憶する記憶部３０と送受信アンテナ３１とを備えたチップ３２が、遊技盤３の遊技領域１８における球の飛び交う領域１８Ａの表面側以外に埋め込まれたことを特徴とする。例えば、チップが、意匠盤面４を形成する化粧シートの外表面から内部に形成された凹部内に固定されたものとした。【選択図】        図１
2005124751.tif 000002
【特許請求の範囲】
【請求項１】
電子識別情報を記憶する記憶部と送受信アンテナとを備えたチップが、遊技盤の遊技領域における球の飛び交う領域の表面側以外に埋め込まれたことを特徴とする遊技盤。
【請求項２】
チップが、意匠盤面を形成する化粧シートの外表面から内部に形成された凹部内に固定されたことを特徴とする請求項１に記載の遊技盤。
【請求項３】
チップが、遊技盤の遊技基板の側端面から内部に形成された凹部内に固定されたことを特徴とする請求項１に記載の遊技盤。
【請求項４】
チップが、遊技盤の遊技基板を形成する単板あるいは単板間に埋め込まれたことを特徴とする請求項１に記載の遊技盤。
【請求項５】
チップが、遊技盤の意匠盤面を形成する化粧シートあるいは化粧シートの結合される遊技基板と化粧シートとの間に埋め込まれたことを特徴とする請求項１に記載の遊技盤。
【請求項６】
電子識別情報を記憶する記憶部と送受信アンテナとを備えたチップを、遊技盤の遊技基板を形成する単板の積層工程で単板間に埋め込むことを特徴とする遊技盤の製造方法。
【請求項７】
電子識別情報を記憶する記憶部と送受信アンテナとを備えたチップを、遊技盤の意匠盤面を形成する化粧シートの定着紙を漉いて製作する工程で漉き込むことを特徴とする遊技盤の製造方法。
【発明の詳細な説明】
【技術分野】
【０００１】
本発明は、電子識別情報の記録されたチップを備えた遊技盤等に関する。
【背景技術】
【０００２】
遊技機の不法投棄や不正利用を抑制するため、電子識別情報の記録されたＩＣチップ等のチップをパチンコ機等の遊技機に設け、当該チップに記録された電子識別情報を情報読取器で読み取るようにした遊技機管理システムが知られている。
【特許文献１】特開２００２−２３３６４８号公報
【発明の開示】
【発明が解決しようとする課題】
【０００３】
特許文献１の段落番号００４０，００４１には、遊技機の遊技盤、枠、主制御基板のケースにチップを接着したり、ビス止めしたり、埋め込んだりすることが開示されている。しかし、チップが遊技盤の遊技領域において球の飛び交う領域に設けられた場合、とりわけ、球の飛び交う領域に、当該領域から内部に窪む凹部を設け、この凹部にチップを格納し、このチップを凹部に充填したエポキシ樹脂のような接着剤で埋め込み固定した場合、チップの埋め込み位置が遊技盤の前面から目で容易に確認することができる上、上記接着剤が球の飛び交う領域に飛び交う球の球飛びに悪影響を及ぼす可能性がある一方、上記球の飛び交う領域に飛び交う球が静電気を帯電した場合、当該静電気がチップに保持された電子識別情報に悪影響を及ぼす可能性がある。
本発明は、電子識別情報を記憶する記憶部と送受信アンテナとを備えたチップを、遊技球の球飛びや電子識別情報に悪影響を及ぼすことのない形態で、かつ、埋め込み位置も確認しにくい形態に、埋め込んだ遊技盤を提供することを目的とする。
【課題を解決するための手段】
【０００４】
本発明の請求項１に係る遊技盤は、電子識別情報を記憶する記憶部と送受信アンテナとを備えたチップが、遊技盤の遊技領域における球の飛び交う領域の表面側以外に埋め込まれたことを特徴とする。
請求項２の遊技盤は、チップが、意匠盤面を形成する化粧シートの外表面から内部に形成された凹部内に固定されたものとした。
請求項３の遊技盤は、チップが、遊技盤の遊技基板の側端面から内部に形成された凹部内に固定されたものとした。
請求項４の遊技盤は、チップが、遊技盤の遊技基板を形成する単板あるいは単板間に埋め込まれたものとした。
請求項５の遊技盤は、チップが、遊技盤の意匠盤面を形成する化粧シートあるいは化粧シートの結合される遊技基板と化粧シートとの間に埋め込まれたものとした。
請求項６に係る遊技盤の製造方法は、電子識別情報を記憶する記憶部と送受信アンテナとを備えたチップを、遊技盤の遊技基板を形成する単板の積層工程で単板間に埋め込むようにした。
請求項７の遊技盤の製造方法は、電子識別情報を記憶する記憶部と送受信アンテナとを備えたチップを、遊技盤の意匠盤面を形成する化粧シートの定着紙を漉いて製作する工程で漉き込むようにした。
【発明の効果】
【０００５】
請求項１の遊技盤によれば、遊技盤の遊技領域における球の飛び交う領域の表面側以外にチップを埋め込んだので、遊技球の球飛びや電子識別情報に悪影響を及ぼすことのない形態で、かつ、埋め込み位置も確認しにくい形態に、チップを埋め込んだ遊技盤を得ることができる。
請求項２の遊技盤によれば、チップの位置ずれや剥がれ落ちを防止でき、また、チップの埋め込み作業を意匠盤面の表面側から行うことができ、チップの埋め込み作業が容易となる。
請求項３の遊技盤によれば、チップの位置ずれや剥がれ落ちを防止でき、また、チップの埋め込み作業を遊技基板の側端面の表面側から行うことができ、チップの埋め込み作業が容易となる。
請求項４の遊技盤によれば、チップの位置ずれや剥がれ落ちがなくなる。また、遊技盤の遊技領域における球の飛び交う領域の裏面側にチップを埋め込むことができ、チップの埋め込み位置の自由度が増す。
請求項５の遊技盤によれば、チップの位置ずれや剥がれ落ちがなくなる。
請求項６の遊技盤の製造方法によれば、チップを、遊技盤の遊技基板を形成する単板の積層工程で単板間に埋め込んだので、遊技盤の遊技領域における球の飛び交う領域の裏面側にチップを埋め込むことができ、チップの埋め込み位置の自由度が増す。
請求項７の遊技盤の製造方法によれば、チップを、遊技盤の意匠盤面を形成する化粧シートの定着紙を漉いて製作する工程で漉き込んだので、定着紙を漉く工程で、チップを所望の位置に位置決めでき、定着紙の完成後にチップの位置ずれもないので、チップの埋め込み作業を確実かつ容易にできる。
【発明を実施するための最良の形態】
【０００６】
図１を参照し、パチンコ機の概要を説明する。パチンコ機１の遊技機枠２には遊技盤３が取り付けられ、遊技盤３の前面である意匠盤面４には、釘５，風車６，ガイドレール７，入賞部品，飾り等の遊技部品が取り付けられている。飾りとしては、例えば、センター飾り８，サイドランプ飾り９，盤面飾り１０等がある。入賞部品としては、例えば、普通入賞部品１１，始動入賞部品１２，変動入賞部品１３等がある。また、遊技盤３の裏面には、センター飾り８の透過性パネル８ａの後方に画面が位置するよう設けられる表示器８０の他、図外の遊技制御装置、球樋等の様々な遊技部品が設けられている。また、発射機構１４の発射レール１５と遊技盤３のガイドレール７との間には隙間１６が形成され、パチンコ機１の前面に設けられた図外の皿装置からの発射レール１５に供給された球Ｐを、発射機構１４のソレノイド等の駆動源により駆動するハンマー１７で遊技盤３のガイドレール７で囲まれた遊技盤３の内側の遊技領域１８に向けて発射する。ハンドルグリップ１９の操作でソレノイド等の駆動源の駆動力が調整されて発射機構１４のハンマー１７で弾かれる球Ｐの発射力が決まる。遊技領域１８に向けて発射された球Ｐがガイドレール７に沿って発射機構１４の方向に戻ってきた場合、隙間１６及びファール球抜き樋２０を経由して皿装置に排出するようになっている。ガイドレール７は、発射機構１４から発射された球Ｐを遊技領域１８に誘導する発射通路２１と発射通路２１から発射された球Ｐを流下させる遊技領域１８とを意匠盤面４に囲み形成するものである。
【０００７】
本形態では、パチンコ機の固有の電子識別情報を記憶した記憶部３０と情報を送受信する送受信アンテナ３１とを備えたＩＣ（半導体集積回路）チップ等のチップ３２を、遊技盤３の遊技領域１８における球の飛び交う領域１８Ａの表面側（意匠盤面４側）以外の箇所に埋め込んでいる。遊技領域１８における球の飛び交う領域１８Ａとは、ガイドレール７で囲み形成された遊技領域１８において、この遊技領域１８に取り付けられる遊技部品を除いた領域を言う。例えば、本形態では、図１，図２に示すように、盤面飾り１０が取り付けられるガイドレール７の外側である遊技領域１８外の意匠盤面４にチップ３２を埋め込む。即ち、図２に示すように、遊技盤３は、遊技基板２５と遊技基板２５の前面２６に結合された化粧シート２７とで形成され、この化粧シート２７で形成される意匠盤面４において盤面飾り１０が取り付けられて見えなくなる位置に、意匠盤面４から内側に窪むように凹部２８を形成し、この凹部２８内にチップ３２を収納してエポキシ樹脂等の接着剤で凹部２８内にチップ３２を固定する。
【０００８】
次に、遊技部品が取り付けられた遊技盤３の製造工程を図４により説明する。まず、図３に示すように、ベニヤ合板５０あるいは合成樹脂板等から規定サイズに切られて形成された遊技基板２５の良品検査を行う（ステップ１００１）。良品検査では遊技基板２５の大きさ、厚さ、反りを基準値と比較して基準値外の遊技基板２５を除く。良品検査済みの遊技基板２５の前面２６に糊付けを行う（ステップ１００２）。糊付けの終了した遊技基板２５の前面２６に意匠盤面４を形成する化粧シート２７を載せて（ステップ１００３）、化粧シート２７を遊技基板２５の前面２６に押し付ける（コールドプレス）（ステップ１００４）。以上により遊技盤３が形成される。次に遊技盤３に加工基準穴を形成し（ステップ１００５）、ゲージプレスにより釘５の下孔及び遊技部品を取り付けるねじのための下孔を形成し（ステップ１００６）、ルータ加工により意匠盤面４に取り付けられる遊技部品の逃げ穴を形成する（ステップ１００７）。そして、釘打ち機で釘５の釘打ちを行い（ステップ１００８）、風車６を取り付け（ステップ１００９）、ガイドレール７を取り付ける（ステップ１０１０）。そして、飾りを取り付け（ステップ１０１１）、入賞部品を取り付ける（１０１２）。そして、遊技盤３の裏面に図外の裏機構板、表示器、制御装置等の裏部品を取り付ける（ステップ１０１３）。そして、検査を行う（ステップ１０１４）。以上により遊技部品が取り付けられた遊技盤３が完成する。そして、遊技部品の取り付けられた遊技盤３を出荷したり、遊技部品の取り付けられた遊技盤３を遊技機枠２に組み込んで出荷する（ステップ１０１５）。
【０００９】
本形態では、ステップ１０１１の前に、図５に示すように、盤面飾り１０が取り付けられるガイドレール７の外側である遊技領域１８外の意匠盤面４に上記凹部２８を形成し、この凹部２８内にチップ３２を収納して固定した後に、当該チップ３２が隠れるように意匠盤面４に盤面飾り１０を取り付ける（ステップ１０１１）。
【００１０】
尚、チップ３２としては、ミューチップ（日立製作所製）のような無線ＩＣチップを用いればよい。このミューチップは、正方形状のチップであり、縦０．４ｍｍ、横０．４ｍｍ、厚さ０．０６ｍｍの大きさで、厚さ０．１ｍｍのコピー紙等の厚さより薄いものであり、また、記憶部３０としてＲＯＭ（リードオンリーメモリー）を備えていて、このＲＯＭに電子識別情報が記録され、この電子識別情報を書き換えることができないので、電子識別情報の改ざん等の不正な行為を行うことができないものである。
【００１１】
チップ３２の記憶部３０に記憶された電子識別情報を読み出す際には、図外の読取器からチップ３２に読取開始信号を送信し、これにより、チップ３２は送受信アンテナ３１を介して読取開始信号を受信し、記憶している電子識別情報を送受信アンテナ３１を介して読取器に送信する。このように、電子識別情報を読み取って確認することで、その遊技盤３が不法投棄されたものか、不正利用されているものかを判断できる。
【００１２】
本形態によれば、遊技領域１８外の意匠盤面４にチップ３２を埋め込んだので、球飛びや電子識別情報に悪影響を及ぼすことなく、かつ、盤面飾り１０によりチップ３２の埋め込み位置も確認しにくい遊技盤３を提供できる。また、凹部２８内にチップ３２を収納して固定しているので、チップ３２の位置ずれや剥がれ落ちを防止できる。また、遊技盤３を形成した後に意匠盤面４の表面を押圧して凹部２８を形成してチップ３２を埋め込むことができるので、チップ３２の埋め込み作業を意匠盤面４の表面側から行うことができ、チップ３２の埋め込み作業が容易となる。
【００１３】
他の形態１
図６に示すように、遊技基板２５の側端面２９の表面から内側に窪む凹部２８を形成し、この凹部２８内にチップ３２を収納しエポキシ樹脂等の接着剤でチップ３２を凹部２８内に固定して埋め込むようにしてもよい。本形態によれば、遊技基板２５の側端面２９側にチップ３２を埋め込んだので、球飛びや電子識別情報に悪影響を及ぼすことなく、かつ、チップ３２の埋め込み位置も確認しにくい遊技盤３を提供できる。また、凹部２８内にチップ３２を収納して固定しているので、チップ３２の位置ずれや剥がれ落ちを防止できる。また、遊技盤３を形成した後に遊技基板２５の側端面２９を押圧して凹部２８を形成してチップ３２を埋め込むことができるので、チップ３２の埋め込み作業を遊技基板２５の側端面２９の表面側から行うことができ、チップ３２の埋め込み作業が容易となる。
【００１４】
他の形態２
また、図７に示すように、ベニヤ合板５０を製作するためにベニヤ単板５１を積層する工程で、複数のベニヤ単板５１，５１…のうち向い合う一対のベニヤ単板５１（５１ａ），５１（５１ｂ）の面の一方の面５２に凹部２８を形成して、この凹部２８にチップ３２を収納して糊等で仮止めしてから、他方の面５３に糊を付けてベニヤ単板５１（５１ｂ）を積層結合するようにしてもよい。即ち、所定規格の大きさのベニヤ単板５１を積層する工程で、切り出す遊技基板２５の遊技領域１８の表面側となる側以外の箇所にチップ３２を埋め込む。本形態の場合、球飛びや電子識別情報に悪影響を及ぼすことなく、かつ、チップ３２の埋め込み位置も確認しにくい遊技盤３を提供できる。また、ベニヤ単板５１，５１間の凹部２８内にチップ３２を収納して固定しているので、チップ３２の位置決めを確実に行え、また、ベニヤ単板５１，５１間に埋め込むので、チップ３２の位置ずれや剥がれ落ちがなくなる。尚、本形態の場合、図８に示すように、意匠盤面４から打ち込まれる釘５の先端５ａが届かない遊技盤３の遊技領域１８の裏側に近い位置におけるベニヤ単板５１，５１間にチップを埋め込むことも可能となるので、チップ３２の埋め込み位置の自由度が増す。この場合、意匠盤面４からチップ３２の埋め込まれている位置までの寸法Ｌ＞意匠盤面４からの釘５の打ち込み寸法Ｈとして、釘５の先端５ａでチップ３２を破壊しないようにする。
【００１５】
他の形態３
化粧シート２７の製作過程で化粧シート２７中にチップ３２を埋め込むようにしてもよい。化粧シート２７は、図９に示すように、光透過性シート４１の裏面４２に、図柄などの意匠を形成する印刷層４３を形成し、この印刷層４３の裏面４４にケント紙のような定着紙４５を糊４６により結合して形成される。この定着紙４５の裏面４７と遊技基板２５の前面２６とが糊により結合されて遊技盤３が形成される。
本形態では、図９に示すように、印刷層４３の裏面４４と定着紙４５との間にチップ３２を挟み込んで化粧シート２７中に埋め込む。即ち、定着紙４５の前面４８にチップ３２を糊等で仮止めしておき、この印刷層４３の裏面４４に定着紙４５を糊４６により結合する。本形態によれば、球飛びや電子識別情報に悪影響を及ぼすことなく、かつ、チップ３２の埋め込み位置も確認しにくい遊技盤３を提供できる。また、化粧シート２７中にチップ３２を埋め込むので、チップ３２の位置ずれや剥がれ落ちがなくなる。この場合、定着紙４５の前面４８に凹部２８を形成してチップ３２をこの凹部２８内に接着剤等で固定しておいてもよい。
【００１６】
他の形態４
定着紙４５の裏面４７と遊技基板２５の前面２６との間にチップ３２を埋め込んでもよい。本形態によれば、他の形態３と同様の効果が得られる。この場合、遊技基板２５の前面２６に凹部２８を形成してチップ３２をこの凹部２８内に接着剤等で固定しておいてもよい。
【００１７】
他の形態５
化粧シート２７の定着紙４５を漉いて製作する工程で、チップ３２を漉き込んで定着紙４５中に埋め込んでもよい。これにより、図１０に示すように、定着紙４５中にチップ３２が埋め込まれる。本形態によっても他の形態３，４と同様の効果が得られる。また、定着紙４５を漉く工程で、チップ３２を所望の位置に位置決めでき、定着紙の完成後にチップ３２の位置ずれもないので、チップ３２の埋め込み作業を確実かつ容易にできる。
【００１８】
他の形態３〜５の場合は、盤面飾り１０が取り付けられるガイドレール７の外側である遊技領域１８外に位置する化粧シート２７内にチップ３２を埋め込む。
【産業上の利用可能性】
【００１９】
他の形態２〜４の場合、凹部２８を形成しなくてもよいが、凹部２８を形成して、この凹部２８内にチップ３２を収納する方が、ベニヤ単板５１や化粧シート２７を積層結合する際に加えられる押圧力をチップ３２に加わらないようにでき、チップ３２に加わる圧力を少なくできるので、チップ３２の損傷を少なくできる。
【図面の簡単な説明】
【００２０】
【図１】本発明の最良の形態における遊技盤を搭載したパチンコ機を示す図。
【図２】最良の形態におけるチップが埋め込まれた遊技盤の断面図。
【図３】最良の形態における遊技盤の遊技基板の製造方法を示す図。
【図４】最良の形態における遊技盤の製造工程を示す図。
【図５】最良の形態におけるチップの埋め込みを示す斜視図。
【図６】他の形態１におけるチップの埋め込みを示す斜視図。
【図７】他の形態２におけるチップの埋め込みを示す斜視図。
【図８】他の形態２におけるチップが埋め込まれた遊技盤の断面図。
【図９】他の形態３におけるチップが埋め込まれた化粧シートの断面図。
【図１０】他の形態５におけるチップが埋め込まれた化粧シートの断面図。
【符号の説明】
【００２１】
３  遊技盤、４  意匠盤面、１８  遊技領域、
１８Ａ  遊技領域における球の飛び交う領域、２５  遊技基板、２７  化粧シート、
２８  凹部、２９  遊技基板の側端面、３０  記憶部、３１  送受信アンテナ、
３２  チップ、４５  定着紙、５１  ベニヤ単板（単板）。
【図１】
2005124751.tif 000003
【図２】
2005124751.tif 000004
【図３】
2005124751.tif 000005
【図４】
2005124751.tif 000006
【図５】
2005124751.tif 000007
【図６】
2005124751.tif 000008
【図７】
2005124751.tif 000009
【図８】
2005124751.tif 000010
【図９】
2005124751.tif 000011
【図１０】
2005124751.tif 000012